(57)【特許請求の範囲】
【請求項１】
校正データを記憶可能なサーバ装置と、該サーバ装置と相互に通信可能であって前記校正データを可視化した校正画像を表示する表示部をそれぞれ有する複数のクライアント装置とを備える電子校正システムであって、
各前記クライアント装置は、
前記校正画像における画像領域内の関心領域を指定する関心領域指定部と、
前記関心領域指定部により指定された前記関心領域に対する修正色を入力する修正色入力部と、
を備え、
前記サーバ装置は、
前記修正色入力部により入力された前記修正色に関する色情報を前記関心領域に対応付けて記憶する修正色記憶部を備え、
各前記クライアント装置は、
前記表示部に前記校正画像をそれぞれ表示させる際、前記サーバ装置から送信された前記色情報が表す前記修正色を有し、且つ、前記関心領域と同一の又は相似する形状を有するカラーパッチを前記関心領域の周辺位置に表示させる
ことを特徴とする電子校正システム。
【請求項２】
請求項１記載の電子校正システムにおいて、
各前記クライアント装置は、前記表示部に前記校正画像をそれぞれ表示させる際、前記カラーパッチを前記関心領域に隣接して表示させることを特徴とする電子校正システム。
【請求項３】
請求項１又は２記載の電子校正システムにおいて、
各前記クライアント装置は、前記表示部に前記校正画像をそれぞれ表示させる際、前記カラーパッチの表示／非表示を切り替え可能であることを特徴とする電子校正システム。
【請求項４】
請求項１〜３のいずれか１項に記載の電子校正システムにおいて、
各前記クライアント装置は、前記表示部に前記校正画像をそれぞれ表示させる際、前記カラーパッチと併せて前記色情報を表示させることを特徴とする電子校正システム。
【請求項５】
校正データを記憶可能なサーバ装置と、該サーバ装置と相互に通信可能であって前記校正データを可視化した校正画像を表示する表示部をそれぞれ有する複数のクライアント装置とを用いた電子校正方法であって、
各前記クライアント装置を介して前記校正画像における画像領域内の関心領域を指定する指定ステップと、
指定された前記関心領域に対する修正色を入力する入力ステップと、
入力された前記修正色に関する色情報を前記関心領域に対応付けて前記サーバ装置に記憶させる記憶ステップと、
各前記クライアント装置の前記表示部に前記校正画像をそれぞれ表示させる際、前記サーバ装置から送信された前記色情報が表す前記修正色を有し、且つ、前記関心領域と同一の又は相似する形状を有するカラーパッチを前記関心領域の周辺位置に表示させる表示ステップと
を備えることを特徴とする電子校正方法。
【請求項６】
請求項５記載の電子校正方法において、
前記表示ステップでは、前記表示部に前記校正画像をそれぞれ表示させる際、前記カラーパッチを前記関心領域に隣接して表示させることを特徴とする電子校正方法。
【請求項７】
請求項５又は６記載の電子校正方法において、
前記表示ステップでは、前記表示部に前記校正画像をそれぞれ表示させる際、前記カラーパッチの表示／非表示を切り替え可能であることを特徴とする電子校正方法。
【請求項８】
請求項５〜７のいずれか１項に記載の電子校正方法において、
前記表示ステップでは、前記表示部に前記校正画像をそれぞれ表示させる際、前記カラーパッチと併せて前記色情報を表示させることを特徴とする電子校正方法。
【発明の詳細な説明】
【技術分野】
【０００１】
この発明は、校正データを記憶可能なサーバ装置と、該サーバ装置と相互に通信可能であって前記校正データを可視化した校正画像を表示する表示部をそれぞれ有する複数のクライアント装置とを備える電子校正システム及び電子校正方法に関する。
【背景技術】
【０００２】
近時、印刷分野において、印刷会社等の製作側で作成された校正データや、発注会社等の出版企画側での修正指示情報を、地理的に離れた各担当者に通信回線を経由して送受信することで、色校正紙の遣り取りを省略するリモートプルーフを実現する電子校正システムが普及しつつある。
【０００３】
例えば、特許文献１には、色修正処理が行われた複数の画像のうちの１つを指定し、通信回線を介して別の装置に送信することで、色の修正を指示する技術が提案されている。
【先行技術文献】
【特許文献】
【０００４】
【特許文献１】特開２００３−４６７９０号公報
【発明の概要】
【発明が解決しようとする課題】
【０００５】
本発明は、前記特許文献１に開示されている技術的思想に関連してなされたものであって、色校正作業に関与する各担当者に対して即時に、具体的且つ簡便に指示可能な電子校正システム及び電子校正方法を提供することを目的とする。
【課題を解決するための手段】
【０００６】
本発明は、校正データを記憶可能なサーバ装置と、該サーバ装置と相互に通信可能であって前記校正データを可視化した校正画像を表示する表示部をそれぞれ有する複数のクライアント装置とを備える電子校正システムに関する。
【０００７】
各前記クライアント装置は、前記校正画像における画像領域内の関心領域を指定する関心領域指定部と、前記関心領域指定部により指定された前記関心領域に対する修正色を入力する修正色入力部と、を備え、前記サーバ装置は、前記修正色入力部により入力された前記修正色に関する色情報を前記関心領域に対応付けて記憶する修正色記憶部を備え、各前記クライアント装置は、前記表示部に前記校正画像をそれぞれ表示させる際、前記サーバ装置から送信された前記色情報が表す前記修正色を有するカラーパッチを前記関心領域の周辺位置に表示させることを特徴とする。
【０００８】
このように、各クライアント装置は、校正画像における画像領域内の関心領域を指定する関心領域指定部と、指定された前記関心領域に対する修正色を入力する修正色入力部とを備えているので、一の作業者（例えば、校正者）は、表示部を介して、極めて直接的な態様で色の修正指示ができる。また、各クライアント装置が備える表示部に校正画像をそれぞれ表示させる際、サーバ装置から送信された色情報が表す修正色を有するカラーパッチを関心領域の周辺位置に表示させるようにしたので、他の作業者（例えば、デザイナ）は、各クライアント装置の表示部を介して、色の修正を要する箇所及び色味を一見して把握できる。すなわち、色校正作業に関与する各担当者に対して即時に、具体的且つ簡便に指示できる。特に、各担当者が地理的に離れている場合に効果的である。
【０００９】
また、各前記クライアント装置は、前記表示部に前記校正画像をそれぞれ表示させる際、前記カラーパッチを前記関心領域に隣接して表示させることが好ましい。これにより、関心領域とカラーパッチとの対応関係を確実に把握できる。
【００１０】
また、各前記クライアント装置は、前記表示部に前記校正画像をそれぞれ表示させる際、前記関心領域と同一の又は相似する形状を有する前記カラーパッチを表示させることが好ましい。これにより、関心領域とカラーパッチとの比較観察が容易となる。
【００１１】
さらに、各前記クライアント装置は、前記表示部に前記校正画像をそれぞれ表示させる際、前記カラーパッチの表示／非表示を切り替え可能であることが好ましい。これにより、必要に応じた選択的な表示が可能であり、校正画像上に複数の修正指示が存在する場合、作業者にとって便宜である。
【００１２】
さらに、各前記クライアント装置は、前記表示部に前記校正画像をそれぞれ表示させる際、前記カラーパッチと併せて前記色情報を表示させることが好ましい。これにより、作業者は、表示された色のみならず他の付随情報も参照できるので、色修正作業の支援となる。
【００１３】
本発明は、校正データを記憶可能なサーバ装置と、該サーバ装置と相互に通信可能であって前記校正データを可視化した校正画像を表示する表示部をそれぞれ有する複数のクライアント装置とを用いた電子校正方法に関する。
【００１４】
各前記クライアント装置を介して前記校正画像における画像領域内の関心領域を指定する指定ステップと、指定された前記関心領域に対する修正色を入力する入力ステップと、入力された前記修正色に関する色情報を前記関心領域に対応付けて前記サーバ装置に記憶させる記憶ステップと、各前記クライアント装置の前記表示部に前記校正画像をそれぞれ表示させる際、前記サーバ装置から送信された前記色情報が表す前記修正色を有するカラーパッチを前記関心領域の周辺位置に表示させる表示ステップとを備えることを特徴とする。
【００１５】
また、前記表示ステップでは、前記表示部に前記校正画像をそれぞれ表示させる際、前記カラーパッチを前記関心領域に隣接して表示させることが好ましい。
【００１６】
さらに、前記表示ステップでは、前記表示部に前記校正画像をそれぞれ表示させる際、前記関心領域と同一の又は相似する形状を有する前記カラーパッチを表示させることが好ましい。
【００１７】
さらに、前記表示ステップでは、前記表示部に前記校正画像をそれぞれ表示させる際、前記カラーパッチの表示／非表示を切り替え可能であることが好ましい。
【００１８】
さらに、前記表示ステップでは、前記表示部に前記校正画像をそれぞれ表示させる際、前記カラーパッチと併せて前記色情報を表示させることが好ましい。
【発明の効果】
【００１９】
本発明に係る電子校正システム及び電子校正方法によれば、各クライアント装置は、校正画像における画像領域内の関心領域を指定する関心領域指定部と、指定された前記関心領域に対する修正色を入力する修正色入力部とを備えているので、一の作業者（例えば、校正者）は、表示部を介して、極めて直接的な態様で色の修正指示ができる。また、各クライアント装置が備える表示部に校正画像をそれぞれ表示させる際、サーバ装置から送信された色情報が表す修正色を有するカラーパッチを関心領域の周辺位置に表示させるようにしたので、他の作業者（例えば、デザイナ）は、各クライアント装置の表示部を介して、色の修正を要する箇所及び色味を一見して把握できる。すなわち、色校正作業に関与する各担当者に対して即時に、具体的且つ簡便に指示できる。特に、各担当者が地理的に離れている場合に効果的である。
【図面の簡単な説明】
【００２０】
【図１】本実施の形態に係る電子校正システムとしての印刷物生産システムの全体構成図である。
【図２】図１に示す印刷会社内のシステム構成図である。
【図３】図１に示す情報処理装置の機能ブロック図である。
【図４】図１に示す印刷物生産システムを用いた印刷物生産工程を説明するフローチャートである。
【図５】図４のステップＳ５における、情報処理装置の動作説明に供されるフローチャートである。
【図６】図６Ａ及び図６Ｂは、校正画像に対して注釈情報を付与する際の画面遷移を表す概略説明図である。
【図７】図７Ａ及び図７Ｂは、注釈情報が付与された校正画像を閲覧する際の画面遷移を表す概略説明図である。
【発明を実施するための形態】
【００２１】
以下、本発明に係る電子校正方法についてこれを実施する電子校正システムとの関係において好適な実施形態を挙げ、添付の図面を参照して説明する。
【００２２】
図１は、本実施の形態に係る印刷物生産システム１０（電子校正システム）の全体構成を示している。
【００２３】
この印刷物生産システム１０は、校正者等が所属する広告代理店又はクライアント（会社）等の印刷物の発注会社１２と、デザイナ等が所属する制作会社１４と、印刷オペレータ等が所属する印刷会社１６との間で、ＬＡＮ（Local Area Network）或いはＷＡＮ（Wide Area Network）等のネットワーク１８を介して構築されたシステムである。各プレーヤーの構成は、本図に限定されるものではなく、例えば、制作会社１４と印刷会社１６とが同一の会社等とされることもある。
【００２４】
発注会社１２内には、ネットワーク１８とＬＡＮ２０との間の接続を中継する機器であるゲートウェイ２２と、印刷会社１６側から送信された校正データを基に校正を行うための校正者端末２４と、校正者端末２４から送信された校正データに基づいてプルーフ２６を印刷するプリンタ２８と、発注会社１２内に構築される無線ＬＡＮの中継機器である無線ＬＡＮルータ３０と、無線ＬＡＮルータ３０を介して校正データ等を取得可能な２台の情報処理装置３２ａ、３２ｂとが配置されている。
【００２５】
なお、本明細書では、初校、再校、再々校、及び校了の際に発生する印刷用データを総称して「校正データ」という。
【００２６】
制作会社１４内には、ネットワーク１８とＬＡＮ３４との間の接続を中継する機器であるゲートウェイ３６と、印刷会社１６側から送信された校正データを基に校正を行うためのデザイナ端末３８と、デザイナ端末３８から送信された校正データに基づいてプルーフ４０を印刷するプリンタ４１と、制作会社１４内に構築される無線ＬＡＮの中継機器である無線ＬＡＮルータ４２と、無線ＬＡＮルータ４２を介して校正データ等を取得可能な１台の情報処理装置４４とが配置されている。
【００２７】
図２は、図１に示す印刷会社１６内のシステム構成図である。
【００２８】
印刷会社１６内には、ネットワーク１８とＬＡＮ５０との間の接続を中継する機器であるゲートウェイ５２と、ＬＡＮ２０、３４を含む外部ネットワークに属する各端末からネットワーク１８を介してアクセス可能なリモートサーバ５４（サーバ装置）と、印刷に要する各種作業を行うためのオペレータ端末５６と、リモートサーバ５４から送信された校正データ（又は製版データ）に基づいてラスタライズ処理や色変換処理等の各画像処理を実行するＲＩＰ装置５８と、ＲＩＰ装置５８から送信された処理済みの校正データに基づいてプルーフ６０を印刷可能であるＤＤＣＰ（Direct Digital Color Proofing）６２と、図示しない刷版を装着して印刷物６４を印刷可能であるオフセット印刷機６６とが配置されている。
【００２９】
リモートサーバ５４は、印刷物生産システム１０におけるワークフロー管理の中核をなす装置である。リモートサーバ５４は、校正者端末２４、デザイナ端末３８、及び情報処理装置３２ａ、３２ｂ、４４にネットワーク１８を介してそれぞれ接続される。一方、リモートサーバ５４は、ＬＡＮ５０を介して、オペレータ端末５６及びＲＩＰ装置５８に接続される。
【００３０】
本実施の形態において、リモートサーバ５４は、各端末、各ユーザ、又は各ジョブにおいて実行可能なタスク権限を管理する権限管理サーバ６８としての機能と、素材データ、校正データ、製版データ及びこれらに付随する各種データファイルの格納・転送を司るファイルサーバ７０（修正色記憶部）としての機能と、各工程の開始・終了等の所定のタイミングで通知メールを生成・配信するメールサーバ７２としての機能とを担う。
【００３１】
権限管理サーバ６８は、印刷物生産システム１０の運用に関する各種設定を登録し、その登録情報に従って本システムを運用させる。登録情報には、ファイルサーバ７０へのアクセス権限、ファイルサーバ７０に保存された各種データの読出し／書込み権限、メールサーバ７２からの通知メールの送信先等が含まれる。具体例として、後述する電子校正に関して、校正画像を閲覧する権限、校正画像に注釈情報を付与する権限、校正データを修正・更新する権限、校了の承認権限等が、各担当者に割り当てられる。
【００３２】
ファイルサーバ７０は、権限管理サーバ６８での登録情報に従って、印刷物６４の生産に必要な各種データファイルを保存、更新、削除等する。各種データファイルには、制作会社１４からの素材データ、校正データ、製版データ、ジョブチケット｛例えば、ＪＤＦ（Job Definition Format）ファイル｝、ＩＣＣ（International Color Consortium）プロファイル、色見本データ等が含まれる。
【００３３】
メールサーバ７２は、権限管理サーバ６８での登録情報に従って、通知メールを所定の端末（ユーザ）に対して適時に送信する。送信タイミングとして、例えば、入稿の通知、プリフライト処理の実行通知、校正開始／終了の旨の通知、承認の通知、校正完了の通知等が挙げられる。この通知により、各担当者は、各工程の進捗状況を適時に確認できる。
【００３４】
ＲＩＰ装置５８は、少なくとも１つの印刷機に対する印刷処理サーバとして機能する。図２例では、ＲＩＰ装置５８には、ＤＤＣＰ６２と、オフセット印刷機６６とが電気的に接続されている。この場合、ＲＩＰ装置５８は、ページ記述言語で記述された校了データを各印刷機に応じた網点データに変換し、前記網点データをＤＤＣＰ６２（又はオフセット印刷機６６）に供給する。
【００３５】
ＤＤＣＰ６２は、ＲＩＰ装置５８から供給された網点データに基づいてプルーフ６０を印刷する。プルーファとして、ＤＤＣＰ６２に代替して、インクジェットカラープルーファ、低解像度のカラーレーザプリンタ（電子写真方式）やインクジェットプリンタ等を用いてもよい。
【００３６】
オフセット印刷機６６は、ＲＩＰ装置５８から供給された網点データに基づいて印刷物６４を印刷する。なお、オフセット印刷機６６に代替して、ダイレクト印刷のためのデジタル印刷機を設けてもよい。デジタル印刷機としては、インクジェットカラープルーファやカラーレーザプリンタ（電子写真方式）等を用いてもよい。
【００３７】
図１及び図２に示すように、クライアント装置としての校正者端末２４、デザイナ端末３８、及びオペレータ端末５６は、ＣＰＵ、ＲＯＭ、ＲＡＭ等を備える本体部２４ａ、３８ａ、５６ａと、表示部２４ｂ、３８ｂ、５６ｂと、ポインティングデバイス・キーボード等からなる入力部２４ｃ、３８ｃ、５６ｃをそれぞれ備えている。
【００３８】
本実施の形態では、クライアント装置として、タッチペン７４（又はユーザの指先）を用いて筆記入力が可能である情報処理装置３２ａ、３２ｂ、４４を適用している。
【００３９】
図３は、図１に示す情報処理装置３２ａの機能ブロックである。なお、情報処理装置３２ｂ、４４についても、図３と同様の構成であるとする。
【００４０】
情報処理装置３２ａは、外部装置からの電気信号を送受信する通信部８０と、通信部８０から受信された校正データの表示に適した信号処理を施すことで表示制御信号を生成する信号処理部８２と、信号処理部８２により生成された表示制御信号に基づいて表示制御する表示制御部８４と、表示制御部８４による制御に応じて画像（校正画像や注釈情報を含む。）を表示する表示部８６と、タッチペン７４と表示部８６との接触部位を検出することで筆記入力する筆記入力部８８と、筆記入力部８８からの筆記入力の特徴に基づいて筆記情報（ユーザの指示や入力内容を含む。）を解釈する筆記情報解釈部９０と、筆記情報解釈部９０により解釈された筆記情報に応じた図形、アイコン等の表示用画像を作成する画像作成部９２と、筆記情報解釈部９０により解釈された筆記情報を格納する注釈情報格納部９４とを備える。
【００４１】
ここで、注釈情報には、文字、図形、記号、模様、色彩又はこれらを組み合わせた画像情報、ＡＳＣＩＩ等の文字コードを組み合わせたテキスト情報のみならず、音声情報、映像情報等が含まれる。
【００４２】
信号処理部８２は、画像の拡縮処理、トリム処理、ガンマ変換処理、ＩＣＣプロファイルによるカラーマッチング処理、画像のエンコード処理・デコード処理等を含む信号処理を適宜行う。
【００４３】
表示部８６は、カラー表示可能な表示モジュールであり、液晶パネル、有機ＥＬ（Electro-Luminescence）、無機ＥＬパネル等で構成されてもよい。筆記入力部８８は、表示部８６を介して直接入力可能なタッチパネル検出器である。検出方式としては、抵抗膜方式、静電容量方式、赤外線方式、電磁誘導方式、静電結合方式等を含む種々の方式を用いてもよい。
【００４４】
筆記情報解釈部９０は、校正画像１２２（図６Ａ等参照）における画像領域内の関心領域１４０（同参照）を指定する関心領域指定部９６と、関心領域指定部９６により指定された関心領域１４０に対する修正色を入力する修正色入力部９８とを備える。
【００４５】
本実施の形態に係る印刷物生産システム１０は以上のように構成される。続いて、印刷物６４を生産するワークフロー及び印刷物生産システム１０の動作について、図４及び図５を参照しながら説明する。
【００４６】
先ず、印刷会社１６に所属する印刷オペレータは、入稿された素材データを編集してＤＴＰ処理を行う（ステップＳ１）。ＤＴＰ処理に先立ち、制作会社１４に属するデザイナは、デザイナ端末３８を用いて、印刷物６４のコンテンツに相当する素材データを作成する。入稿権限を有するデザイナによる送信指示に応じて、デザイナ端末３８は、ファイルサーバ７０（リモートサーバ５４）を送信先に指定して前記素材データを送信する。そうすると、ファイルサーバ７０は、ＬＡＮ３４、ゲートウェイ３６、ネットワーク１８、及びゲートウェイ５２を介して、素材データを受信して記憶する。
【００４７】
そして、印刷オペレータは、オペレータ端末５６を用いて、素材データの入手、プリフライト処理、及び組版等の必要な作業を行う。このとき、オペレータ端末５６は、ＬＡＮ５０を介して、ファイルサーバ７０から（に）データファイルを適宜受信（送信）してもよい。
【００４８】
次いで、校正者は、メールサーバ７２（リモートサーバ５４）から、校正作業の依頼の旨の通知メールを受け取る（ステップＳ２）。ここで、校正者は、発注会社１２、制作会社１４、印刷会社１６のいずれに属してもよい。本実施の形態では、例えば、発注会社１２側の校正者による校正作業について例示するが、この形態に限られない。例えば、校正者端末２４（本体部２４ａ）は、ネットワーク１８、ゲートウェイ２２、ＬＡＮ２０を介して、メールサーバ７２からの通知メールを受信する。
【００４９】
次いで、校正者は、ファイルサーバ７０から校正データ（初校）をダウンロードし、校正データの確認を行う（ステップＳ３）。例えば、校正者端末２４（本体部２４ａ）は、ネットワーク１８等を介して印刷会社１６から校正データを取得し、プリンタ２８での印刷に適した所定の信号処理を施す。そして、プリンタ２８は、信号処理済みの印刷データを取得し、該印刷データに基づいてプルーフ２６を印刷する。そして、校正者は、プルーフ２６を観察し、種々の校正作業を行う。以下、本発明の特徴である色校正作業を中心に説明する。
【００５０】
次いで、校正者は、校正データに対して色修正が必要か否かを判断する（ステップＳ４）。色修正が必要であると判断した場合、校正者は、デザイナに対して色の修正指示を行う（ステップＳ５）。本実施の形態に係る電子校正システムでは、情報処理装置３２ａ等を用いて付与された注釈情報（アノテーション）をファイルサーバ７０に登録することで、校正画像を閲覧する権限を有するデザイナは、色の修正指示の内容を閲覧可能となる。例えば、校正者から、ページの内容を承認しない旨の指示をリモートサーバ５４側に送信すると、メールサーバ７２は、デザイナに通知メールを送信する。
【００５１】
以下、ステップＳ５における情報処理装置３２ａの動作（具体的には、注釈情報の付与）について、図５のフローチャート及び図３の機能ブロック図を参照しながら詳細に説明する。
【００５２】
先ず、情報処理装置３２ａは、校正者による所定の操作に応じて、色校正モードに移行する（ステップＳ５１）。校正データのダウンロード指示に応じて、通信部８０は、印刷会社１６からの校正データを受信する。そして、信号処理部８２は、表示部８６への表示に適した所望の信号処理を施し、表示制御信号を得る。そして、表示制御部８４は、得られた表示制御信号に基づいて表示部８６（表示画面１２０上）に校正画像１２２を表示させる。
【００５３】
図６Ａ及び図６Ｂは、校正画像１２２に対して注釈情報を付与する際の画面遷移を表す概略説明図である。
【００５４】
表示部８６の表示画面１２０には、校正画像１２２（本図では、正面視の女性の顔画像）が略全面に表示されている。また、表示画面１２０の右下隅部には、校正画像１２２に重畳して、アイコン１２４が表示されている。このアイコン１２４は、タッチの回数に応じて編集モード（色校正モードを含む。）を切り替える第１アイコン１２６と、筆記モード・消しゴムモードに切り替える第２アイコン１２８と、校正作業の終了・設定の保存を指示する第３アイコン１３０とから構成される。例えば、校正者による所定の操作、例えば、第１アイコン１２６を所定の回数だけタッチすることで、色校正モードが選択される。また、第２アイコン１２８を所定の回数だけタッチすることで、筆記モードが選択される。
【００５５】
なお、タッチペン７４（又はユーザの指先）によるタッチ操作に応じて、表示部８６の表示内容が適時に更新される。この機能は、筆記入力部８８による検出処理、筆記情報解釈部９０による筆記情報の解釈処理、画像作成部９２による画像の作成・更新処理、表示制御部８４による表示制御、及び表示部８６による更新表示を経ることで実現される。
【００５６】
次いで、校正者による所定の操作に応じて、関心領域指定部９６は、関心領域１４０を指定する（ステップＳ５２）。具体的には、図６Ａに示すように、校正者は、タッチペン７４を用いて、表示画面１２０上の開始位置１３２をタッチした状態で、破線で示す軌跡１３４に沿って終了位置１３６まで表示画面１２０をなぞる。そうすると、表示画面１２０の中央左方部には、校正画像１２２に重畳して、軌跡１３４を対角線とする矩形枠１３８が表示される。ここで、矩形枠１３８で囲繞された画像領域は、色の修正指示を行おうとする関心領域１４０に相当する。
【００５７】
筆記情報解釈部９０は、筆記入力部８８から検出された入力内容と、現在指定されている各種モード（色校正モード及び筆記モード）との組合せから、関心領域１４０を抽出したものと解釈する。
【００５８】
次いで、表示制御部８４は、表示画面１２０の左上隅部１４２にカラーパレット１４４を表示させる（ステップＳ５３）。図６Ｂに示すように、円形状のカラーパレット１４４は、位置に応じて色を連続的に変化させたグラデーション画像である。そして、カラーパレット１４４の領域内には、環状のカーソル１４６が表示されている。
【００５９】
次いで、表示制御部８４は、表示画面１２０の所定の位置にカラーパッチ１４８を表示させる（ステップＳ５４）。表示に先立ち、画像作成部９２は、筆記情報解釈部９０により解釈された筆記情報に基づいて、カラーパッチ１４８の形状及び配設位置を決定し、カラーパッチ１４８を表す画像データを作成する。ここで、画像作成部９２は、カラーパッチ１４８の形状を、関心領域１４０と同一又は相似する形状に決定する。また、画像作成部９２は、カラーパッチ１４８の配設位置を、関心領域１４０の周辺位置に決定する。そして、表示制御部８４は、画像作成部により作成された画像データに基づいて表示部８６にカラーパッチ１４８を表示させる。
【００６０】
そうすると、図６Ｂに示すように、カラーパッチ１４８は、関心領域１４０の長辺右側（表示画面１２０の中央部寄り）に隣接して配置される。また、カラーパッチ１４８は、関心領域１４０（矩形枠１３８）と同じ形状を有する。さらに、カラーパッチ１４８は、カーソル１４６の現在の指示位置に対応するカラーパレット１４４上の表示色と同じ色を有する。
【００６１】
このように、関心領域１４０の周辺位置にカラーパッチ１４８を配置することで、色の修正を要する箇所を一見して把握できる。ここで、周辺位置とは、関心領域１４０が指定された時点（ステップＳ５２）での校正画像１２２の表示倍率において、関心領域１４０及びカラーパッチ１４８が表示画面１２０上に同時に表示される程度に近い位置であって、且つ、関心領域１４０及びカラーパッチ１４８が互いに重複しない位置を意味する。特に、前記表示倍率において、関心領域１４０を表示画面１２０の略中央にスクロール表示させたとき、カラーパッチ１４８が同時に表示されることが一層好ましい。
【００６２】
また、図６Ｂ例のように、カラーパッチ１４８を関心領域１４０に隣接して表示することで、両者の対応関係を確実に把握できる。さらに、カラーパッチ１４８の形状を関心領域１４０と同一又は相似する形状にすることで、両者の比較観察が容易となる。さらにまた、校正画像１２２のスクロール表示や拡縮表示に対して、表示画面１２０内に必ず収まるように、カラーパッチ１４８の配置を適時変更することが好ましい。
【００６３】
なお、ステップＳ５３及びＳ５４において、カラーパレット１４４及びカラーパッチ１４８を表示する順番及びタイミングは問わない。また、カラーパレット１４４は、校正画像１２２の閲覧の邪魔にならないように、表示画面１２０の周縁部（例えば、左上隅部１４２）のいずれかに常時表示させてもよい。
【００６４】
次いで、修正色入力部９８は、修正色の入力指示を受け付けたか否かを判別する（ステップＳ５５）。具体的には、修正色入力部９８は、カーソル１４６の指示位置が移動したか否かを判別する。カーソル１４６の移動があったと判別された場合、修正色入力部９８は、カラーパレット１４４の位置及び表示色と、移動後のカーソル１４６の位置とに基づいて新たな色を決定・入力する。
【００６５】
次いで、画像作成部９２によるカラーパッチ１４８の再作成を経て、表示制御部８４は、色が更新されたカラーパッチ１４８を表示させる（ステップＳ５６）。すなわち、カラーパレット１４４での色の指定結果に追従して、カラーパッチ１４８の表示色も即時に変化するように構成されている。
【００６６】
次いで、筆記情報解釈部９０は、設定保存の指示を受け付けたか否かを判別する（ステップＳ５７）。具体的には、筆記情報解釈部９０は、第３アイコン１３０のタッチ操作があったか否かを判別する。タッチ操作がなかったと判別された場合、ステップＳ５５に戻って、以下、ステップＳ５５〜Ｓ５７を繰り返す。
【００６７】
一方、タッチ操作があったと判別された場合、情報処理装置３２ａは、注釈情報をリモートサーバ５４側に送信する（ステップＳ５８）。具体的には、注釈情報格納部９４は、校正画像１２２における関心領域１４０の位置・サイズ情報のみならず、修正色に関する色情報をも注釈情報データとして一時的に格納する。ここで、修正色に関する色情報とは、修正色を特定するための各種情報であり、色見本の現物のみならず、その色値又は種類等が含まれる。色見本の色値には、三刺激値ＸＹＺ、均等色空間上の色値Ｌ*ａ*ｂ*等のデバイス非依存データ、あるいはＲＧＢ値、ＣＭＹＫ値等のデバイス依存データが含まれる。色見本の種類には、製造業者名、色見本番号等が含まれる。
【００６８】
そして、情報処理装置３２ａは、通信部８０を介して、注釈情報データを所定の宛先（リモートサーバ５４）に送信する。そして、リモートサーバ５４は、無線ＬＡＮルータ３０、ＬＡＮ２０、ゲートウェイ２２、ネットワーク１８、及びゲートウェイ５２を介して、注釈情報データを受信する。そして、ファイルサーバ７０は、この注釈情報データを校正データに対応付けて記憶する。
【００６９】
このようにして、校正者は、色の修正指示を電子的に行う（ステップＳ５）。
【００７０】
図４に戻って、制作会社１４に所属するデザイナは、メールサーバ７２から、色の修正指示があった旨の通知メールを受け取る（ステップＳ６）。例えば、デザイナ端末３８（本体部３８ａ）は、ネットワーク１８、ゲートウェイ３６、ＬＡＮ３４を介して、メールサーバ７２からの通知メールを受信する。
【００７１】
次いで、デザイナは、校正データの色修正を行う（ステップＳ７）。校正データを注釈情報と併せて閲覧し、校正者からの修正の指示内容を確認する。校正画像１２２を閲覧するために、デザイナ端末３８又は情報処理装置４４のいずれを用いてもよい。例えば、情報処理装置４４を用いて閲覧する場合について説明する。
【００７２】
図７Ａに示すように、校正画像１２２の関心領域１４０に対応する位置に、矩形枠１３８（図６Ａ及び図６Ｂ参照）と同じ位置及びサイズである破線状の矩形枠１５０が表示されている。矩形枠１５０の右上部には、三角形状のマーク１５２が表示されている。このマーク１５２のタッチ操作に応じて、関心領域１４０の右側に、校正者からの修正の指示内容を表す注釈画像１５４が表示される。
【００７３】
注釈画像１５４は、図６Ｂと同様のカラーパッチ１４８と、該カラーパッチ１４８の下方部に重畳された色情報欄１５６とからなる。色情報欄１５６には、修正色（カラーパッチ１４８の表示色）に関する色情報が併せて表記される。図７Ｂ例では、ＲＧＢ色値が表示されているが、これに限定されない。
【００７４】
デザイナは、この色情報欄１５６を参照しながら、デザイナ端末３８を用いて、校正データの色修正を行う。この指示方法によれば、「顔の赤みを僅かに消して下さい。」等の抽象的な指示よりも具体的であるので、デザイナは、指示内容を容易に把握できる。
【００７５】
また、Ｘ字状のマーク１５８のタッチ操作に応じて、注釈画像１５４は非表示になり、図７Ａに示す表示画面１２０に遷移する。このように、カラーパッチ１４８を含む注釈画像１５４の表示／非表示を切り替え可能に構成することで、必要に応じた選択的な表示が可能である。校正画像１２２上に複数の修正指示が存在する場合、作業者にとって便宜である。
【００７６】
このようにして、デザイナ端末３８は、色が修正された校正データ（再校データ）を作成し、リモートサーバ５４側に送信する。そうすると、リモートサーバ５４は、無線ＬＡＮルータ４２、ＬＡＮ３４、ゲートウェイ３６、ネットワーク１８、及びゲートウェイ５２を介して再校データを受信する。そして、ファイルサーバ７０は、この再校データを記憶する。
【００７７】
デザイナによる色修正が完了した場合、ステップＳ２に戻って、校正者は、リモートサーバ５４（メールサーバ７２）から、通知メールを受け取る（ステップＳ２）。
【００７８】
以下、同様に、ステップＳ２〜Ｓ７を繰り返し、校正作業（再校、再々校）を行う。修正の必要がないと判断すると（すなわち、関与する全校正者がページの内容を承認する旨の指示をリモートサーバ５４側に通知した場合）、ファイルサーバ７０は、最後に更新された校正データを校了データとして記憶する。例えば、校了データの保存をトリガとして、印刷会社１６に所属する印刷オペレータは、メールサーバ７２から通知メールを受け取る（ステップＳ８）。オペレータ端末５６（本体部５６ａ）は、ＬＡＮ５０を介して、メールサーバ７２からの通知メールを受信する。
【００７９】
次いで、印刷会社１６に所属する印刷オペレータは、校了データに基づいて、印刷物６４の生産を行う（ステップＳ９）。具体的には、印刷オペレータは、ＤＤＣＰ６２にプルーフ６０を印刷させ、校正を行う。その後、刷版を作成し、オフセット印刷機６６を用いて印刷物６４を生産する。
【００８０】
以上のように、情報処理装置３２ａ、３２ｂ、４４は、校正画像１２２における画像領域内の関心領域１４０を指定する関心領域指定部９６と、指定された関心領域１４０に対する修正色を入力する修正色入力部９８とを備えているので、一の作業者（例えば、校正者）は、表示部８６を介して、極めて直接的な態様で色の修正指示ができる。また、表示部８６に校正画像１２２をそれぞれ表示させる際、リモートサーバ５４から送信された色情報が表す修正色を有するカラーパッチ１４８を関心領域１４０の周辺位置に表示させるようにしたので、他の作業者（例えば、デザイナ）は、各表示部８６を介して、色の修正を要する箇所及び色味を一見して把握できる。すなわち、色校正作業に関与する各担当者に対して即時に、具体的且つ簡便に指示できる。特に、各担当者が地理的に離れている場合に効果的である。
【００８１】
なお、この発明は、上述した実施形態に限定されるものではなく、この発明の主旨を逸脱しない範囲で自由に変更できることは勿論である。
【００８２】
例えば、本実施の形態に係るクライアント装置（情報処理装置３２ａ等）は、本体部、表示部及び入力部が一体に構成されているが、複数の機器（例えば、校正者端末２４における、本体部２４ａ、表示部２４ｂ及び入力部２４ｃ）で構成されても本発明を適用できる。
【符号の説明】
【００８３】
１０…印刷物生産システム                  ２４…校正者端末
３２ａ、３２ｂ、４４…情報処理装置        ３８…デザイナ端末
５４…リモートサーバ                      ５６…オペレータ端末
６４…印刷物                              ７０…ファイルサーバ
８０…通信部                              ８４…表示制御部
８６…表示部                              ８８…筆記入力部
９０…筆記情報解釈部                      ９２…画像作成部
９６…関心領域指定部                      ９８…修正色入力部
１２０…表示画面                          １２２…校正画像
１２４…アイコン                          １４０…関心領域
１４４…カラーパレット                    １４８…カラーパッチ
１５４…注釈画像                          １５６…色情報欄
【図１】
0005723193.tif 000002
【図２】
0005723193.tif 000003
【図３】
0005723193.tif 000004
【図４】
0005723193.tif 000005
【図５】
0005723193.tif 000006
【図６】
0005723193.tif 000007
【図７】
0005723193.tif 000008